(57)【要約】【課題】鉛筆の木目に沿って削る、手動式の鉛筆削りを提供する【解決手段】  本体と、刀身の基端部が本体１１に軸支されたカッター部１２であって、第１の位置から第２の位置まで回動可能であると共に、第１の位置の方向へ付勢されているカッター部１２と、本体１１に一端部１３ａが軸支されると共に、他端部１３ｂ上側に回転可能なつまみ１３ｃが設けられているハンドル１３と、ハンドル１３を１回転させると、カッター部１２を第１の位置から第２の位置へ移動させる駆動力をカッター部１２に与え、カッター部１２を第２の位置まで移動させたところで駆動力を解除するカッター部駆動機構１４と、鉛筆をカッター部１２によって削ることが可能な位置に保持すると共に、ハンドル１３が１回転されると、カッター部１２が鉛筆を削っていないときに鉛筆を所定角度回転させる鉛筆保持手段と、を備えた構成とした。【選択図】図１
2020108927.tif 000002
【特許請求の範囲】
【請求項１】
手動式の鉛筆削りであって、
本体と、
刀身の基端部が前記本体に軸支されたカッター部であって、先端部は自由端となっており第１の位置から第２の位置まで回動可能であると共に、第１の位置の方向へ付勢されているカッター部と、
前記本体に一端部が軸支されると共に、他端部は自由端となっており、前記他端部上側に回転可能なつまみが設けられているハンドルと、
前記ハンドルに力を加えて１回転させると、その１回転の間に、前記力を、前記カッター部を前記付勢に逆らって前記第１の位置から前記第２の位置へ移動させる駆動力に変換して前記カッター部に与え、前記カッター部を前記第２の位置まで移動させたところで前記駆動力を解除するカッター部駆動機構と、
前記鉛筆を前記カッター部によって削ることが可能な位置に保持する鉛筆保持手段であって、前記ハンドルが１回転されると、前記カッター部が前記鉛筆を削っていないときに前記鉛筆を所定角度回転させる鉛筆保持手段と、
を備えた鉛筆削り。
【請求項２】
前記カッター部駆動機構は、前記ハンドルを回転させると、前記ハンドルの前記他端部下側に設けられた当接部が前記カッター部の峰部に当接して、前記カッター部を前記第１の位置から前記第２の位置まで移動させ、前記カッター部が前記第２の位置に到達したところで、前記当接部が前記峰部から離脱するようになっている請求項１に記載の鉛筆削り。
【発明の詳細な説明】
【技術分野】
【０００１】
本発明は、手動式の鉛筆削りに関するものである。
【背景技術】
【０００２】
手動式の鉛筆削りとしては、例えば特許文献１に記載されたものが知られている。これによれば、極めて小型の鉛筆削りにすることができ、携帯にも便利である。
【０００３】
しかし、特許文献１に記載の鉛筆削りでは、鉛筆の木目に逆らって削るため、削り面が荒くなってしまうという問題があった。
【先行技術文献】
【特許文献】
【０００４】
【特許文献１】特開２０１６−３４７０６号公報
【発明の概要】
【発明が解決しようとする課題】
【０００５】
本発明は、このような事情に鑑みてなされたものであり、鉛筆の木目に沿って削る、手動式の鉛筆削りを提供することを目的としている。
【課題を解決するための手段】
【０００６】
上記課題を解決するために、本発明に係る鉛筆削りは、
本体と、
刀身の基端部が前記本体に軸支されたカッター部であって、先端部は自由端となっており第１の位置から第２の位置まで回動可能であると共に、第１の位置の方向へ付勢されているカッター部と、
前記本体に一端部が軸支されると共に、他端部は自由端となっており、前記他端部上側に回転可能なつまみが設けられているハンドルと、
前記ハンドルに力を加えて１回転させると、その１回転の間に、前記力を、前記カッター部を前記付勢に逆らって前記第１の位置から前記第２の位置へ移動させる駆動力に変換して前記カッター部に与え、前記カッター部を前記第２の位置まで移動させたところで前記駆動力を解除するカッター部駆動機構と、
前記鉛筆を前記カッター部によって削ることが可能な位置に保持する鉛筆保持手段であって、前記ハンドルが１回転されると、前記カッター部が前記鉛筆を削っていないときに前記鉛筆を所定角度回転させる鉛筆保持手段と、を備えている。
【発明の効果】
【０００７】
従来よりも削り面を綺麗にすることができる。
【図面の簡単な説明】
【０００８】
【図１】実施形態である鉛筆削り１を模式的に示した説明図（平面図）である。
【図２】実施形態である鉛筆削り１を模式的に示した説明図（側面図）である。
【図３】ガイドを示したＡ矢視図である。
【図４】４分の３ギヤを示した説明図（平面図）である。
【発明を実施するための形態】
【０００９】
以下、本発明の鉛筆削りを具現化した実施形態について、図面を用いて説明するが、本発明の技術的範囲は、もちろんこれだけに限定されるものではない。なお、周知の技術に関しては、詳細な説明を省略する。また、本明細書中で特に断りなく鉛筆削りについて上方向又は下方向という場合、図２の状態においての上下方向を指すものとする。
【００１０】
（実施形態）
まず、実施形態である鉛筆削り１の構成について、図１〜図４を参照して説明する。図１は本実施形態の鉛筆削り１を示した説明図（平面図）である。図２は本実施形態の鉛筆削り１を示した説明図（側面図）である。図３はガイドを示したＡ矢視図である。図４は４分の３ギヤを示した説明図（平面図）である。
【００１１】
図１及び図２に示すように、鉛筆削り１は、主に本体１１、カッター部１２、ハンドル１３、カッター部駆動機構１４、鉛筆保持部１５（鉛筆保持手段に相当）で構成される。
【００１２】
本体１１は、平面視略正方形の板状部材である。底面には机に置いて使用できるよう、図示しないゴムが貼付されている。ただし、鉛筆削り１は、必ずしも机等の上において使用する必要はなく、手に持って使用することも可能である。上面には、後述のカッター部１２等を回転可能に支持する支軸１１ａが立設されている。支軸１１ａは、本体１１に対し、回転自在となっている。
【００１３】
カッター部１２は、両刃の薄いナイフ１２ａを峰部側からカバー部材１２ｂで挟み込んだ構成となっている。ナイフ１２ａは、汎用のカッターナイフを用いている。刀身という場合、カバー部材１２ｂを含めたものをいう。カッター部１２は、刀身の基端部１２ｃが支軸１１ａによって、本体１１に軸支されている。基端部１２ｃは、支軸１１ａに対し回動自在となっている。カッター部１２は、先端部は自由端となっており第１の位置から第２の位置まで回動可能となっている。また、カッター部１２は、支軸１１ａに設けられたカッター部戻しバネ１１ｂによって、第１の位置の方向へ付勢されている。カッター部１２は、第１の位置から第２の位置まで回動可能であるが、第２の位置において、第１の位置とは反対の方向へさらに回転することが可能となっている（第２の位置を越えた位置まで回動可能）。一方、第１の位置においては、第２の位置とは反対の方向へさらに回転できなくなっている（第１の位置を越えた位置まで回動することはできない）。
【００１４】
ハンドル１３は、平面視略長方形の細長い板状部材である。ハンドル１３は、一端部１３ａが支軸１１ａによって、カッター部１２の基端部１２ｃと同軸に本体１１に軸支されている。一端部１３ａは、支軸１１ａに固定されている。他端部１３ｂは自由端となっており、ハンドル１３は一端部１３ａを中心に水平方向に回転可能となっている。他端部１３ｂ上側には、回転可能なつまみ１３ｃが設けられている。
【００１５】
カッター部駆動機構１４は、主に当接部１４ａ、ピン１４ｂ、コイルバネ１４ｃ、ガイド１４ｄによって構成される。
【００１６】
当接部１４ａは、他端部１３ｂの下側に設けられている。具体的には、つまみ１３ｃが回転可能に軸支されているピン１４ｂが下方まで延び、当接部１４ａに設けられた貫通孔がピン１４ｂに嵌装されている。これにより、当接部１４ａは、ピン１４ｂに対し上下に移動可能となっている。ただし、当接部１４ａは、ピン１４ｂに対し回転できないようになっている。また、ピン１４ｂにはコイルバネ１４ｃが設けられており、当接部１４ａは、下方に付勢されている。当接部１４ａは、カッター部１２と同じ高さより下方には移動しないようになっている。
【００１７】
ガイド１４ｄは、平面視略４分の１円弧状、側面視略直方体状で、当接部１４ａが通過する位置の下方に設けられている。ガイド１４ｄは、本体１１に立設されている。ガイド１４ｄの断面は、ほぼ同形状であるが、図１の図中上側に斜面部１４ｅ、１４ｅが設けられている。斜面部１４ｅ、１４ｅは、上面が斜面になっており、図中右方向に行くほど上面が高くなっている。図３はガイド１４ｄを示したＡ矢視図である。
【００１８】
これにより、ハンドル１３に力を加えて右方向に１回転させると、その１回転の間に、当接部１４ａがカッター部１２の峰部に当接して、カッター部１２を第１の位置から第２の位置まで移動させる。そして、当接部１４ａが斜面部１４ｅ、１４ｅに差しかかると、当接部１４ａは、斜面部１４ｅ、１４ｅによって、徐々に上昇し、カッター部１２が第２の位置に到達したところで、峰部から離脱するようになっている。
【００１９】
すなわち、カッター部駆動機構１４は、ハンドル１３に力を加えて１回転させると、その１回転の間に、前記力を、カッター部１２を付勢に逆らって第１の位置から第２の位置へ移動させる駆動力に変換してカッター部１２に与え、カッター部１２を第２の位置まで移動させたところで駆動力を解除する。
【００２０】
鉛筆保持部１５は、主に鉛筆ホルダ１５ａ、鉛筆ホルダ１５ａに設けられたウォームホイール１５ｂ、ウォームホイール１５ｂと対になってウォームギヤを構成する水平に配設された円筒ウォーム１５ｃ、円筒ウォーム１５ｃと同軸に配設された傘歯車１５ｄ、傘歯車１５ｄと噛み合うように鉛直に配設された傘歯車１５ｅ、傘歯車１５ｅと同軸に配設された平歯車１５ｆ、平歯車１５ｆと噛み合うように配設され支軸１１ａの中間部に固定された４分の３ギヤ１５ｇで構成される。
【００２１】
以下、図面において詳細を省略し、また、詳細な説明も省略する。鉛筆ホルダ１５ａは、鉛筆（図示せず）をカッター部１２によって削ることが可能な位置に保持することができるようになっている。鉛筆ホルダ１５ａは、保持した鉛筆の中心軸を中心として回転可能に本体１１に支持されている。また、ハンドル１３が１回転されると、カッター部１２が鉛筆を削っていないときに鉛筆を所定角度（本実施形態では６０°）回転させる。
【００２２】
ハンドル１３を回転させると支軸１１ａが回転し、支軸１１ａに固定されている４分の３ギヤ１５ｇも回転する。４分の３ギヤ１５ｇが回転すると、４分の３ギヤ１５ｇに噛み合う平歯車１５ｆも回転するが、図４に示すように４分の３ギヤ１５ｇは、カッター部１２が鉛筆を削っている区間の歯を欠かせてある。これにより、カッター部１２が鉛筆を削っていないときに平歯車１５ｆを所定角度回転させることができる。平歯車１５ｆの回転量は、傘歯車１５ｅ、傘歯車１５ｄ、円筒ウォーム１５ｃ、ウォームホイール１５ｂと経由し、鉛筆ホルダ１５ａを６０°回転させる。
【００２３】
つぎに、鉛筆削り１の使用方法について説明する。カッター部１２を第１の位置に静止させ、鉛筆ホルダ１５ａに鉛筆を保持させる。そのとき、カッター部１２の刃先の軌跡を考慮し、鉛筆の突き出し量を調節する。鉛筆が保持できたら、つまみ１３ｃを持ってハンドル１３を右方向に回転させる。６回転させると削りが完了する。
【００２４】
上述した内容は、あくまでも本発明の一実施形態に関するものであって、本発明が上記内容に限定されることを意味するものではない。たとえば、ハンドルを本体に軸支するハンドル支軸を、カッター部１２を本体１１に軸支する支軸１１ａとは別のものとし、ハンドル支軸は、支軸１１ａと平行にカッター部１２の可動領域である第１の位置から第２の位置の範囲外に設ける。そして、つまみ１３ｃの下側に水平方向に回転可能な当接部を設ける。これにより、ハンドルを回転させると、当接部は、第１の位置にあるカッター部１２の峰部に当接して、カッター部１２の先端方向に移動しながら、カッター部１２を第１の位置から第２の位置まで移動させる。そして、カッター部１２が第２の位置に到達したところで、当接部は、峰部の先端よりも先に移動して峰部から離脱する。
【００２５】
また、本実施形態では、カッター部が水平で、鉛筆が斜めになるようになっているが、鉛筆が水平で、カッター部の支軸を斜めにしてもよい。また、カッター部を上下するようにし、カッター部が鉛筆を削るときは、カッター部を下方へ押圧する機構を備えてもよい。
【符号の説明】
【００２６】
１  鉛筆削り（実施形態）
１１  本体
１２  カッター部
１３  ハンドル
１４  カッター駆動機構
１５  鉛筆保持部（鉛筆保持手段）
【図１】
2020108927.tif 000003
【図２】
2020108927.tif 000004
【図３】
2020108927.tif 000005
【図４】
2020108927.tif 000006